(57)【要約】【課題】  電子レンジにて解凍、加熱調理を行なった時、蒸気の膨張による破袋が生じないようにすると共に、安価な電子レンジ用包装袋を提供する。【解決手段】  シート状の基材（上下シート２，３）によって形成される電子レンジ用包装袋１に於いて、包装袋内部を密封すべく前記基材の縁部において熱溶着されたシール部４，５，６，１４と、該シール部４，５，６，１４に形成され、且つ、該シール部４，５，６，１４が加熱による包装袋内部の圧力によって一部剥離した時に包装袋内部と外部とを連通させ、蒸気を逃がす逃がし孔７，８，９，１０とを具備した電子レンジ用包装袋を提供する。【選択図】  図３
2006001577.tif 000002
【特許請求の範囲】
【請求項１】
シート状の基材によって形成される電子レンジ用包装袋に於いて、包装袋内部を密封すべく前記基材の縁部において熱溶着されたシール部と、該シール部に形成され、且つ、該シール部が加熱による包装袋内部の圧力によって一部剥離した時に包装袋内部と外部とを連通させ、蒸気を逃がす逃がし孔とを具備したことを特徴とする電子レンジ用包装袋。
【請求項２】
上記シール部に於いて積層する２枚の基材の内側にシーラントと、イージーピール材とが介装されていることを特徴とする請求項１記載の電子レンジ用包装袋。
【請求項３】
上記シール部に於いて積層する２枚の基材の内側に夫々中間層が積層され、該中間層の内側にシーラントと、イージーピール材とが介装されていることを特徴とする請求項１記載の電子レンジ用包装袋。
【請求項４】
上記電子レンジ用包装袋は、袋の側片及び下辺が封止される三方袋であることを特徴とする請求項１，２又は３記載の電子レンジ用包装袋。
【請求項５】
上記電子レンジ用包装袋は、袋の側面にマチを備えたガゼット袋であることを特徴とする請求項１，２又は３記載の電子レンジ用包装袋。
【請求項６】
上記電子レンジ用包装袋は、自立可能な底部を有するスタンディング袋であることを特徴とする請求項１，２又は３記載の電子レンジ用包装袋。
【請求項７】
上記逃がし孔は直径１．５〜２．５ｍｍに形成されることを特徴とする請求項１，２，３，４，５又は６記載の電子レンジ用包装袋。
【請求項８】
上記逃がし孔は１〜６個形成されることを特徴とする請求項１，２，３，４，５，６又は７記載の電子レンジ用包装袋。
【請求項９】
上記シーラントはポリエチレン、ポリプロピレンのうちのいずれかから成ることを特徴とする請求項２，３，４，５，６，７又は８記載の電子レンジ用包装袋。
【発明の詳細な説明】
【技術分野】
【０００１】
本発明は、電子レンジ用包装袋に関し、特に、冷凍食品、その他の食品類等を収納する電子レンジ用包装袋に於いて、電子レンジにて解凍、加熱調理を行なった時、蒸気の膨張による破袋が生じないように構成した電子レンジ用包装袋に関する。
【背景技術】
【０００２】
従来の此種電子レンジ用包装袋は、電子レンジにて解凍、加熱調理を行なった時、蒸気の膨張による破袋が生じないように、例えば、次のような方法が実施されており、或いは知られている。
【０００３】
（１）電子レンジにて解凍、加熱調理を行なう直前に包装袋に穴を開ける。
（２）予め包装袋にパンチ穴を開けて、その上にラベルを貼って密閉し、電子レンジにて解凍、加熱調理を行なう直前にラベルを剥がす。
【０００４】
（３）製袋時に特殊テープを挿入しておき、電子レンジにて解凍、加熱調理を行なう直前に特殊テープを引張することにより、袋の一部をカットする。
（４）蒸気の力で袋が自然開封するようシール強度を弱くする。
然しながら、これらはいずれも手間がかかる、又は、コストが高いなどの問題がある。
【０００５】
そのため、例えば、特許文献１には次のような提案がなされている。
本体シールである外方シール部の内側に、外方シール部に比べて相対的にシール強度の弱いシール部を設け、外方シール部と弱いシール部との間に直径数ミリの孔を空けた袋を形成する。袋に内容物を入れレンジで加熱すると、内側の弱いシール部分が蒸気圧で剥離され、剥離部分が孔に達したところで、袋内の蒸気を逃がすことができる。
【特許文献１】特開２０００−２９６８８４号公報
【発明の開示】
【発明が解決しようとする課題】
【０００６】
然しながら、上記特許文献１には次のような問題点がある。
（１）本体シールである外方シール部分の内側に蒸気圧により剥がれる弱いシール部分を構成する必要があるため、この弱いシール部分に相当する分、袋を大きくしなければならず、これによって、コストアップになる。
【０００７】
（２）弱いシール部分を通常の取扱いや輸送状態では開くことがなく、蒸気圧がかかったときのみ開くようにするため、シール温度をコントロールする必要があり、シール温度の調整が煩雑である。
【０００８】
以上の現状に鑑み、本発明の目的は、電子レンジにて解凍、加熱調理を行なった時、蒸気の膨張による破袋が生じないようにすると共に、安価な電子レンジ用包装袋を提供する。
【課題を解決するための手段】
【０００９】
上記の課題を解決すべく、本発明は以下の構成を提供する。
請求項１に係る発明は、シート状の基材によって形成される電子レンジ用包装袋に於いて、包装袋内部を密封すべく前記基材の縁部において熱溶着されたシール部と、該シール部に形成され、且つ、該シール部が加熱による包装袋内部の圧力によって一部剥離した時に包装袋内部と外部とを連通させ、蒸気を逃がす逃がし孔とを具備したことを特徴とする電子レンジ用包装袋を提供するものである。
【００１０】
請求項２に係る発明は、上記シール部に於いて積層する２枚の基材の内側にシーラントと、イージーピール材とが介装されていることを特徴とする請求項１記載の電子レンジ用包装袋を提供するものである。
【００１１】
請求項３に係る発明は、上記シール部に於いて積層する２枚の基材の内側に夫々中間層が積層され、該中間層の内側にシーラントと、イージーピール材とが介装されていることを特徴とする請求項１記載の電子レンジ用包装袋を提供するものである。
【００１２】
請求項４に係る発明は、上記電子レンジ用包装袋は、袋の側片及び下辺が封止される三方袋であることを特徴とする請求項１，２又は３記載の電子レンジ用包装袋を提供するものである。
【００１３】
請求項５に係る発明は、上記電子レンジ用包装袋は、袋の側面にマチを備えたガゼット袋であることを特徴とする請求項１，２又は３記載の電子レンジ用包装袋を提供するものである。
【００１４】
請求項６に係る発明は、上記電子レンジ用包装袋は、自立可能な底部を有するスタンディング袋であることを特徴とする請求項１，２又は３記載の電子レンジ用包装袋を提供するものである。
【００１５】
請求項７に係る発明は、上記逃がし孔は直径１．５〜２．５ｍｍに形成されることを特徴とする請求項１，２，３，４，５又は６記載の電子レンジ用包装袋を提供するものである。
【００１６】
請求項８に係る発明は、上記逃がし孔は１〜６個形成されることを特徴とする請求項１，２，３，４，５，６又は７記載の電子レンジ用包装袋を提供するものである。
【００１７】
請求項９に係る発明は、上記シーラントはポリエチレン、ポリプロピレンのうちのいずれかから成ることを特徴とする請求項２，３，４，５，６，７又は８記載の電子レンジ用包装袋を提供するものである。
【発明の効果】
【００１８】
本発明の請求項１記載の発明によれば、電子レンジ用包装袋に於いて、包装袋内部を密封すべく基材の縁部において熱溶着されたシール部と、該シール部に形成され、且つ、該シール部が加熱による包装袋内部の圧力によって一部剥離した時に包装袋内部と外部とを連通させ、蒸気を逃がす逃がし孔とを具備したので、電子レンジにて解凍、加熱調理を行なった時、逃がし孔によって蒸気を逃がすことができるため、蒸気の膨張による破袋が生じることがなく、又、本発明の電子レンジ用包装袋は簡素な構成であるため、製作が容易であり、且つ、安価である。
【００１９】
請求項２記載の発明によれば、上記シール部に於いて積層する２枚の基材の内側にシーラントと、イージーピール材とが介装されているので、請求項１記載の発明の効果に加え、シーラントと、イージーピール材との接着の剥離によってシール部の剥離が容易になり、且つ、剥離強度も安定するため、容易、且つ、確実に蒸気を逃がすことができると共に、安価な構成とすることができる。
【００２０】
請求項３記載の発明によれば、上記シール部に於いて積層する２枚の基材の内側に夫々中間層が積層され、該中間層の内側にシーラントと、イージーピール材とが介装されているので、基材の内側に夫々中間層が形成された電子レンジ用包装袋に於いて、請求項２記載の発明の効果と同様の効果が期待できる。
【００２１】
請求項４記載の発明によれば、上記電子レンジ用包装袋は、袋の側片及び下辺が封止される三方袋であるので、三方袋に於いて、請求項１，２又は３記載の発明の効果が期待できる。
【００２２】
請求項５記載の発明によれば、上記電子レンジ用包装袋は、袋の側面にマチを備えたガゼット袋であるので、ガゼット袋に於いて、請求項１，２又は３記載の発明の効果が期待できる。
【００２３】
請求項６記載の発明によれば、上記電子レンジ用包装袋は、自立可能な底部を有するスタンディング袋であるので、スタンディング袋に於いて、請求項１，２又は３記載の発明の効果が期待できる。
【００２４】
請求項７記載の発明によれば、上記逃がし孔は直径１．５〜２．５ｍｍに形成されるので請求項１，２，３，４，５又は６記載の発明の効果に加え、直径１．５〜２．５ｍｍの逃がし孔によって包装袋内の蒸気を円滑に逃がすことができる。
【００２５】
請求項８記載の発明によれば、上記逃がし孔は１〜３個形成されるので請求項１，２，３，４，５，６又は７記載の発明の効果に加え、１〜６個形成された逃がし孔によって、包装袋内の蒸気を円滑に逃がすことができる。
【００２６】
請求項９記載の発明によれば、上記シーラントはポリエチレン、ポリプロピレンのうちのいずれかから成るので、請求項２，３，４，５，６，７又は８記載の発明の効果と同様の効果が期待できる。
【発明を実施するための最良の形態】
【００２７】
以下、実施例を示した図面を参照しつつ本発明の実施の形態を説明する。
図１に於いて、１は電子レンジ用包装袋を示し、該電子レンジ用包装袋１はＯＰＰ（二軸延伸ポリプロピレン）、ＮＹ（ナイロン）、ＰＥＴ（ポリエステル、又は、ポリエチレンテレフタレート）、紙、不織布等から成る基材である上下シート２，３の左右側辺及び下辺にシール部４，５，６（図中に於いて区別できるようにクロスハッチが施されている）が形成され、該シール部４，５，６が封止されて三方袋状に形成されて成り、左右側辺のシール部４，５に蒸気を逃がすための直径２ｍｍの逃がし孔７，８，９，１０が開穿されている。
【００２８】
尚、逃がし孔７，８，９，１０は４個設けたが、これに限定されることなく、適宜個数にすることが可能であり、好適には１〜６個形成されることが望ましい。
又、逃がし孔７，８，９，１０は食品又は水分等の飛散を防ぐため、最適な直径２ｍｍに形成したが、これに限定されず、適宜任意の大きさに形成可能であり、好適には直径１．５〜２．５ｍｍ程度に形成されることが望ましい。
【００２９】
図２は図１のＡ−Ａ線断面図を示し、シール部４は上下シート２，３の間にＰＥ（ポリエチレン）、ＰＰ（ポリプロピレン）等から成るシーラント１１、イージーピール材１２が介装され、上（図２に於いて左）から上シート２、シーラント１１、イージーピール材１２、下シート３の順に積層され熱圧着されている。
【００３０】
尚、シール部４は所定幅のシーラント１１をラミネートした上シート２と、所定幅のイージーピール材１２をラミネートした下シート３とを、シーラント１１とイージーピール材１２とを接触させて製袋機（図示せず）によって熱圧着したものである。
【００３１】
そして、図示は省略するがシール部５，６も同様に形成されている。
又、シール部４の略左右中央部（図２に於いて略上下中央部）に逃がし孔７がシール部４を上下（図２に於いて左右）に貫通して開穿されている。これは製袋機によって熱圧着した後に、穿孔機等によって開穿したものである。
【００３２】
同様に、逃がし孔７から所定間隔離間するシール部４に逃がし孔８が開穿され、シール部５にも逃がし孔７，８に対応する位置に逃がし孔９，１０が開穿されている。
【００３３】
而して、電子レンジ用包装袋１に、開口部１３から冷凍食品、その他の食品類等を収納した後、図３に示す如く、該開口部１３を熱圧着によって封止してシール部１４を形成すると、電子レンジ用包装袋１内の冷凍食品、その他の食品類等は電子レンジ用包装袋１内に密封され、該電子レンジ用包装袋１は搬送可能状態になる。尚、シール部１４は前記上下シート２，３間に、シーラント１１、イージーピール材１２を介装させても良く、介装させなくても良い。
【００３４】
そして、該電子レンジ用包装袋１を電子レンジ（図示せず）に入れて加熱すると、加熱によって電子レンジ用包装袋１内に蒸気が発生し、或いは、空気が膨張し、該蒸気或いは空気によって図４に示す如く、例えば、シール部５のシーラント１１とイージーピール材１２との一部が剥離し、この剥離の進行によって逃がし孔９の位置が剥離すると、該逃がし孔９から電子レンジ用包装袋１内の蒸気或いは空気が外部に発散する。
【００３５】
尚、蒸気或いは空気が逃がし孔９から外部に発散することにより、電子レンジ用包装袋１内は減圧し、シール部４の剥離の進行は停止する。
斯くして、本発明の電子レンジ用包装袋１は蒸気或いは空気を円滑に外部に発散させるため、電子レンジ用包装袋１が破袋することなく、従って、電子レンジ用包装袋１内の冷凍食品、その他の食品類及び水分等が破袋によって飛散することもなく、電子レンジ用包装袋１内の冷凍食品、その他の食品類の解凍又は加熱が円滑に行なえる。
【００３６】
又、本発明の電子レンジ用包装袋はシーラント１１と、イージーピール材１２との接着の剥離によってシール部４，５の剥離が容易になり、且つ、剥離強度も安定するため、容易、且つ、確実に蒸気を逃がすことができ、破袋を防止することができると共に、簡易な構成であり、安価な構成とすることができる。
【００３７】
図５は前述したシール部（図２に於いて４）に代えて形成される他のシール部１５を示し、該シール部１５は前記シール部（図２に於いて４）にＡｌ（アルミニウム）箔、ＥＶＯＨ（エチレン−ビニルアルコール樹脂）、ＮＹ（ナイロン），その他から成る中間層１６，１７を介装したものであり、上（図５に於いて左）から上シート２、中間層１６、シーラント１１、イージーピール材１２、中間層１７、下シート３の順に積層され熱圧着されている。
【００３８】
尚、シール部１５は上シート２上面に上シート２と略同面積の中間層１６を積層し、且つ、該中間層１６上に所定幅を有するシーラント１１をラミネートした上シート２と、下シート３上面に下シート３と略同面積の中間層１７を積層し、且つ、該中間層１７上に所定幅のイージーピール材１２をラミネートした下シート３とを、シーラント１１とイージーピール材１２とを接触させて製袋機（図示せず）によって熱圧着したものである。
【００３９】
そして、シール部１５に於いて、シーラント１１及びイージーピール材１２による作用効果は前記シール部（図２に於いて４）に於けるシーラント１１及びイージーピール材１２の作用効果と同じである。
【００４０】
尚、図示は省略するが前記シール部１５が形成された電子レンジ用包装袋は前記シール部（図１に於いて５，６）に相当するシール部も形成されている。
又、シール部１５の略左右中央部（図４に於いて上下中央部）に逃がし孔１８がシール部１５を上下（図４に於いて左右）に貫通して開穿されている。これは製袋機によって熱圧着した後に、穿孔機等によって開穿されたものである。
【００４１】
該逃がし孔１８の作用効果は前記逃がし孔（図２に於いて７）と同様である。
同様に、前記シール部１５が形成された電子レンジ用包装袋は前記逃がし孔（図１に於いて８，９，１０）に相当する逃がし孔も開穿されている。
【００４２】
図６は他の電子レンジ用包装袋２１を示し、該電子レンジ用包装袋２１は前面シート２２と後面シート２３の間の両側面にマチ２４，２５を備えたガゼット袋であり、前面シート２２の左右側辺とマチ２４，２５の側辺とによって夫々シール部２６，２７（図中に於いて区別できるようにクロスハッチが施されている）が形成され、後面シート２３の左右側辺とマチ２４，２５の他の側辺との間に夫々シール部２８，２９が形成され、前面シート２２の底辺と後面シート２３の底辺とによってシール部３０が形成されている。
【００４３】
そして、シール部２６，２７に蒸気の逃がし孔３１，３２，３３，３４が開穿されている。シール部２６，２７の断面形状は前記シール部（図２に於いて４、又は、図５に於いて１５）と略同様に形成されている。シール部２８，２９，３０はシール部２６，２７と同様にシーラント１１、イージーピール材１２を介装して形成されても良く、シーラント１１、イージーピール材１２の介装をなくして前面シート２２と、後面シート２３、マチ２４又は２５とを直接圧着しても良く、後面シート２２と、マチ２４又は２５とを直接圧着しても良い。但し、シール部２８，２９に逃がし孔を開穿する場合は、シーラント１１、イージーピール材１２を介装する必要がある。
【００４４】
而して、前記電子レンジ用包装袋２１も前記電子レンジ用包装袋（図１に於いて１）と同様の作用効果が期待できる。
尚、電子レンジ用包装袋２１は底部にもマチを備えたものであっても良い。
【００４５】
図７は更に他の電子レンジ用包装袋４１を示し、該電子レンジ用包装袋４１は自立可能な底部を有するスタンディング袋であり、前面シート４２と後面シート（図示せず）の間の底面にマチ（図示せず）を備えており、前面シート４２の左右側辺及び底辺に後面シートの左右側辺及びマチとによって夫々シール部４３，４４，４５（図中に於いて区別できるようにクロスハッチが施されている）が形成され、且つ、後面シートとマチとの間にもシール部（図示せず）が形成されている。
【００４６】
そして、シール部４３，４４に蒸気の逃がし孔４６，４７が開穿されている。
シール部４３，４４の断面形状は前記シール部（図２に於いて４、又は、図５に於いて１５）と同様に形成されている。その他のシール部の断面形状はシール部４３，４４と同様に形成されても良く、シーラント１１、イージーピール材１２の介装をなくして前面シート４２とマチ、又は後面シートとマチとを直接圧着しても良い。
【００４７】
而して、前記電子レンジ用包装袋４１も前記電子レンジ用包装袋（図１に於いて１）と同様の作用効果が期待できる。
【図面の簡単な説明】
【００４８】
【図１】本発明の一実施の形態を示し、電子レンジ用包装袋の平面図である。
【図２】図１のＡ−Ａ線縦断面図である。
【図３】本発明の一実施の形態を示し、開口部を封止した電子レンジ用包装袋の平面図である。
【図４】本発明の一実施の形態を示し、加熱調理時の電子レンジ用包装袋の平面図である。
【図５】本発明の他の実施の形態を示し、シール部の縦断面図である。
【図６】本発明の他の実施の形態を示し、ガゼット袋の斜視図である。
【図７】本発明の他の実施の形態を示し、スタンディング袋の正面図である。
【符号の説明】
【００４９】
１，２１，４１  電子レンジ用包装袋
４，５，６  シール部
７，８，９，１０  逃がし孔
１１  シーラント
１２  イージーピール材
１４,１５  シール部
１６，１７  中間層
２４，２５  マチ
２６，２７，２８，２９，３０  シール部
３１，３２，３３，３４  逃がし孔
４３，４４，４５  シール部
４６，４７  逃がし孔
【図１】
2006001577.tif 000003
【図２】
2006001577.tif 000004
【図３】
2006001577.tif 000005
【図４】
2006001577.tif 000006
【図５】
2006001577.tif 000007
【図６】
2006001577.tif 000008
【図７】
2006001577.tif 000009